(57)【要約】【課題】本文の段階の区別を一見して明瞭に識別することのできる段階表示部を有する書籍の提供。【解決手段】  書籍の本文は第１ステップ領域１１ａ、１１ｂ、１１ｃ、第２ステップ領域１２ａ、１２ｂ、第３ステップ領域１３ａ、１３ｂから構成されている。そして、第１ステップ領域の先頭側近傍に１本の段階ラインＬ１１が形成されており、第２ステップ領域には２本ラインの段階ライン１２が形成され、第３ステップ領域には３本ラインの段階ラインＬ１３が形成されている。これら段階ラインの本数によって各ステップを容易に判別できるため、本文のステップの区別がより明瞭になり、一見して段階を識別することが可能になる。【選択図】図１
2005271249.tif 000002
【特許請求の範囲】
【請求項１】
本文が、上位、下位の段階の関係を有する複数の段階領域S1、S2、…Snを備えており、
各段階領域に対応する箇所には、それぞれの段階領域S1、S2、…Snを判別可能に表す段階表示部であって、文字とは異なる段階表示部が表示されている、
ことを特徴とする段階表示部を有する書籍。
【請求項２】
本文が複数の群領域G1、G2、…Gnを備えており、
各群領域は、上位、下位の段階の関係を有する複数の段階領域S1、S2、…Snを備えており、
各段階領域に対応する箇所には、それぞれの段階領域S1、S2、…Snを判別可能に表す段階表示部であって、文字とは異なる段階表示部が表示されている、
ことを特徴とする段階表示部を有する書籍。
【発明の詳細な説明】
【技術分野】
【０００１】
この発明は、書籍に関するものであり、特に本文が複数の段階領域を備えている書籍の段階表示に関する。
【背景技術】
【０００２】
書籍の段階表示としては、まず図５Ａに示すような第一従来例がある。この第一従来例では、本文が複数の章から構成されており、章はさらに複数の節に分類されて表示されている。そして、本文の各文章の先頭部分に章、節を示す項目が文字で表示されている。
【０００３】
また、第二従来例として図５Ｂに示すものがある。この第二従来例では、本文が複数の章から構成されており、図に示す第３章は基本文書領域６０と補助文書領域６１とを備えている。そして、通常、基本文書領域６０にはその書籍の主内容を示す文章などが記載され、補助文書領域６１には主内容を補助する内容の文書などが記載される。
【０００４】
補助文書領域６１の文書を構成する文字は、基本文書領域６０の文書を構成する文字よりも小さく表示されている。また、補助文書領域６１の文書の先頭ラインは基本文書領域６０の先頭ラインよりも段下がりとして表示されている。これら文字の大きさの違いや文書の先頭ラインの段下がりによって、基本文書領域６０と補助文書領域６１とが区別されるようになっている。
【０００５】
また、第三従来例として図６Ａに示す書籍を掲げる。この書籍には脚注領域６３が設けられている。この脚注領域６３には、本文領域６２中の特定の語句や事項を補足する文章や詳細に説明する文章が表示される。
【０００６】
さらに、第四従来例として図６Ｂに示すものがある。この第四従来例にかかる書籍は本文領域６４の側端にライン６７が表示されており、これによって空白領域６５が形成されている。そして空白領域６５には、本文領域６４の文章のまとめや脚注などの文章が記載された補助文書領域６６が表示される。
【０００７】
しかし、上記各従来例には次のような問題があった。まず、第一従来例では、本文の各文章の先頭部分に章、節を示す項目が文字で表示されているだけであるので、章、節などの本文の段階が外観上明瞭ではない。特に章、節などの領域が複数ページに渡った場合、現時点での文章がいずれの章、節に該当しているのかを容易に知ることができないという問題があった。
【０００８】
これに対して第二従来例では、補助文書領域６１の文書の文字を小さく表示し、先頭ラインの位置を段下がりに構成して、基本文書領域６０と補助文書領域６１とを区別している。しかし、文章の文字の大きさや位置に変化を加えているだけであり、本文の段階の区別を一見して明瞭に識別することはできないという問題がある。特に補助文書領域６１が複数ページに渡った場合、現時点での文章が補助文書領域６１、基本文書領域６０のいずれであるかを容易に知ることができない。
【０００９】
また、第三従来例は本文領域６２とは別に脚注領域６３を設けているだけであり、本文の段階の区別を識別することはできない。さらに、第四従来例においても、本文領域６４の側端にライン６７を設けているだけであり、本文の段階の区別を識別することはできない。
【発明の開示】
【発明が解決しようとする課題】
【００１０】
本発明は、上記のような従来の書籍の問題点を解決し、本文の段階の区別を一見して明瞭に識別することのできる段階表示部を有する書籍を提供することを目的とする。
【課題を解決するための手段】
【００１１】
本発明は、段階表示部を有する書籍に関し、本文が、上位、下位の段階の関係を有する複数の段階領域S1、S2、…Snを備えており、各段階領域に対応する箇所には、それぞれの段階領域S1、S2、…Snを表す段階表示部であって、文字とは異なる段階表示部が表示されている、ことを特徴としている。
【００１２】
また、本文が複数の群領域G1、G2、…Gnを備えており、各群領域は、上位、下位の段階の関係を有する複数の段階領域S1、S2、…Snを備えており、各段階領域に対応する箇所には、それぞれの段階領域S1、S2、…Snを表す段階表示部であって、文字とは異なる段階表示部が表示されている、ことを特徴としている。
【００１３】
本発明の特徴は、上記のように広く示すことができるが、その構成や内容は、目的および特徴とともに、図面を考慮に入れた上で、以下の開示によりさらに明らかになるであろう。
【発明の効果】
【００１４】
請求項１の段階表示部を有する書籍においては、本文が、上位、下位の段階の関係を有する複数の段階領域S1、S2、…Snを備えている。そして、各段階領域に対応する箇所には、それぞれの段階領域S1、S2、…Snを判別可能に表す段階表示部であって、文字とは異なる段階表示部が表示されている。
【００１５】
したがって、段階表示部によって本文の段階の区別を明瞭に識別することのでき、さらにこの段階表示部が文字とは異なるものとして表示されているので一見して識別することが可能になる。
【００１６】
請求項２の段階表示部を有する書籍においては、本文が複数の群領域G1、G2、…Gnを備えており、各群領域は、上位、下位の段階の関係を有する複数の段階領域S1、S2、…Snを備えている。そして、各段階領域に対応する箇所には、それぞれの段階領域S1、S2、…Snを判別可能に表す段階表示部であって、文字とは異なる段階表示部が表示されている。
【００１７】
したがって、段階表示部によって本文の段階の区別を明瞭に識別することのでき、さらにこの段階表示部が文字とは異なるものとして表示されているので一見して識別することが可能になる。
【００１８】
また、複数の群領域の間で共通する段階の段階領域を選択して本文を把握することができる。すなわち、順次、群領域G1、G2、…Gn全ての段階領域S1を選択し、群領域G1、G2、…Gn全ての段階領域S2を選択し、…群領域G1、G2、…Gn全ての段階領域Snを選択することができる。
【発明を実施するための最良の形態】
【００１９】
１．第一実施形態
【００２０】
図１は本発明に係る段階表示部を有する書籍の第一実施形態を示す図であり、本実施形態における書籍の任意のページを開いた状態の正面図である。なお、図１中、上部の図と下部の図は連続するページを表している。
【００２１】
本実施形態においては書籍の「章」によって示された本文部分が群領域である。また、図１に表れている章項目領域Ｇ１「第３章」以下の本文は、第１ステップ領域１１ａ、１１ｂ、第２ステップ領域１２ａ、第３ステップ領域１３ａから構成されている。また、図１に表れている章項目領域Ｇ２「第４章」以下の本文は、第１ステップ領域１１ｃ、第２ステップ領域１２ｂ、第３ステップ領域１３ｂを備えている。
【００２２】
これら各ステップ領域が本実施形態における段階領域であり、ステップの数の昇順に応じて上位、下位の段階の関係を有している。本実施形態においては、第１ステップ領域には書籍内容のうち基礎的な内容の文書が記載され、第２ステップには第１ステップに続いてやや詳細な内容の文書が記載され、第３ステップにはさらに詳細な内容の文書が記載される。
【００２３】
下位のステップ領域に向けて順次、本文の文字の大きさを小さく表示してもよい。また、ステップ領域ごとに文字の字体を変化させてもよい。なお、本発明において本文とは、脚注領域（図６Ａ参照）や「章」、「節」が表された章項目領域Ｇ１、Ｇ２、節項目領域Ｈ１、Ｈ２、Ｈ３、Ｈ４などを除いた文章を意味する。
【００２４】
本実施形態では、第１ステップ領域１１ａ、１１ｂ、１１ｃの先頭側近傍に、本文の行方向９０と直交する方向に向けて段階ラインＬ１１が形成されている。そして、この段階ライン１１は直線状に本文全体に渡って表示されており、第１ステップに対応して１本のラインとして構成されている。同様に第２ステップ領域１２ｂには２本ラインの段階ライン１２が形成され、第３ステップ領域１３ｂには３本ラインの段階ラインＬ１３が形成されている。
【００２５】
各段階ラインが本実施形態における段階表示部および直線状ラインである。なお、本実施形態では、各段階ラインは、本文の行方向９０と直交する方向に向けて形成されているが、行方向９０と交叉する方向であれば必ずしも直交方向でなくてもよい。
【００２６】
図１に示すように、ステップの区別が文字とは異なる段階ラインによって表示されているため、本文のステップを一見して識別することが可能になる。ここで、「文字とは異なる」とは、具体的には文字属性および文字位置とは異なる、という意味である。そして、この「文字属性」とは文字の大きさ、字体、文字色など、文字自体を構成する要素を指し、「文字位置」とは紙面上における文字の表示箇所を指す。
【００２７】
また、段階ラインの本数によって各ステップを容易に判別できるため、本文のステップの区別がより明瞭になり、一見して段階を識別することが可能になる。さらに、本実施形態においては、第１ステップ領域１１ａ、１１ｂ、１１ｃ、第２ステップ領域１２ａ、１２ｂ、第３ステップ領域１３ａ、１３ｂは、順次、文書の先頭ラインが段下がりになるように表示されている。この段下がり表示によって、本文のステップの区別がさらに明瞭になる。
【００２８】
本文のステップが明瞭に区別できることによって、たとえば書籍の本文の第１ステップのみを選択して読むことが可能になる。すなわち、図１において、第３章の第１ステップ領域１１ａに次いで１１ｂを選択して読み、続けて第４章の第１ステップ領域１１ｃを選択して読み、以後のページについても同様に読み進むことができる。
【００２９】
本実施形態では、第１ステップについて、直後の第１ステップ領域の場所を表すページ案内部Ｋ１、Ｋ２、Ｋ３が表示されている。すなわち、ページ案内部Ｋ１は第１ステップ領域１１ａの終端近傍に形成されており、次の第１ステップ領域１１ｂの先頭のページ数「83ページ」を示している。また、同様に第１ステップ領域１１ｂ終端近傍のページ案内部Ｋ２は、次の第１ステップ領域１１ｃの先頭のページ数「83ページ」を示しており、第１ステップ領域１１ｃ終端近傍のページ案内部Ｋ２は、次の第１ステップ領域の先頭のページ数「87ページ」を示している。このページ案内部が本実施形態における移行指標部である。
【００３０】
本実施形態では、第１ステップについてページ案内部が形成されているが、これと同時に、またはこれの代わりに第２ステップや第３ステップについてページ案内部を形成することもできる。たとえば第２ステップにページ案内部を形成する場合、次の第２ステップの先頭のページを表示してもよいが、上位の第１ステップの先頭のページを表示することもできる。
【００３１】
なお、たとえば第１ステップ領域の本文内容と同じ内容を連続的に表示するまとめ領域（図示せず）を別途、設けることもできる。このまとめ領域が本実施形態における抽出領域であり、まとめ領域は書籍の先頭（第１章の前）や末尾（最終章の後）などに表示する。この場合、第１章以下の本文の第１ステップ領域の内容とまとめ領域の内容とは重複して書籍に表示されることになり、第１章以下の第１ステップ領域を選択して読む手間を省くことができる。
【００３２】
２．第二実施形態
【００３３】
図２Ａは、本発明に係る段階表示部を有する書籍の第二実施形態を示しており、書籍の任意のページを開いた状態の正面図である。上記第一実施形態では、各段階ラインは当該ステップ領域の本文全体に渡って形成されている。これに対して本実施形態では、段階表示部および直線状ラインとしての段階先頭ラインＬ２１、Ｌ２２、Ｌ２３は、各々のステップ領域１１ａ、１２ａ、１３ａの先頭部分のみに対応して形成されている。
【００３４】
これによって、本文のステップを容易に区別できると同時に、各ステップ領域１１ａ、１２ａ、１３ａの先頭部分を容易に認識することができる。なお、その他の構成等は第一実施形態と同様である。
【００３５】
３．第三実施形態
【００３６】
図２Ｂは、本発明に係る段階表示部を有する書籍の第三実施形態を示しており、書籍の任意のページを開いた状態の正面図である。上記第一実施形態では、段階ラインの本数によって各ステップを判別可能に表している。これに対して、本実施形態では段階表示部および直線状ラインとしての段階色彩ラインＬ３１、Ｌ３２、Ｌ３３が形成されている。
【００３７】
各段階色彩ラインは異なる色彩によって表示されており、色彩ごとに各々のステップ領域が対応している。たとえば段階色彩ラインＬ３１は青色であり第１ステップを表し、段階色彩ラインＬ３２は黄色であり第２ステップを表し、段階色彩ラインＬ３３は赤色であり第３ステップを表す。なお、段階色彩ラインに別の色彩を採用してもよい。
【００３８】
各段階色彩ラインの色彩がそれぞれのステップ領域に対応して判別可能に表していることによって、本文のステップの区別がより明瞭になり、一見して段階を識別することが可能になる。なお、その他の構成等は第一実施形態と同様である。
【００３９】
４．第四実施形態
【００４０】
図３Ａは、本発明に係る段階表示部を有する書籍の第四実施形態を示しており、書籍の任意のページを開いた状態の正面図である。上記第一実施形態では、各段階ラインはそれぞれのステップ領域の行の先頭側近傍に表示されている。
【００４１】
これに対して、本実施形態では開いたページの両端側近傍に段階ラインＬ４１、Ｌ４２、Ｌ４３が表示されている。すなわち、左側ページに表示されている第１ステップ領域１１ａ、第２ステップ領域１２ａについては、段階ラインＬ４１、Ｌ４２が各ステップ領域の行の先頭側に表示されている。そして、右側ページに表示されている第２ステップ領域１２ａ、第３ステップ領域１３ａについては、段階ラインＬ４２、Ｌ４３が各ステップ領域の行の末尾側に表示されている。
【００４２】
これによって、書籍のページを完全に開かずページ端部のみを開いただけで各段階ラインを視認することができ、より容易に本文のステップを判別することが可能となる。なお、その他の構成等は第一実施形態と同様である。
【００４３】
５．第五実施形態
【００４４】
図３Ｂは、本発明に係る段階表示部を有する書籍の第五実施形態を示しており、書籍の任意のページを開いた状態の正面図である。上記第一実施形態では、各段階ラインは直線状に表示されている。これに対して、本実施形態では段階表示部および枠状ラインとしての段階枠Ｌ５１、Ｌ５２、Ｌ５３が表示されている。
【００４５】
各段階枠はそれぞれのステップ領域の周囲に位置するように略枠形状を有している。そして、ステップ領域の行の先頭側および末尾側の両方に各ステップに対応した本数のラインが形成されている。これによって、本文のステップの区別がより明瞭になり、一見してステップを識別することが可能になる。
【００４６】
各ステップに対応した本数のラインは、先頭側または末尾側のいずれか一方としてもよい。また、先頭側、末尾側の双方または一方とともに段階枠の上部にも各ステップに対応した本数のラインを表示することもできる。さらに、枠形状の下方にもラインを形成することもできる。なお、その他の構成等は第一実施形態と同様である。
【００４７】
６．第六実施形態
【００４８】
図４は、本発明に係る段階表示部を有する書籍の第六実施形態を示しており、書籍の任意のページを開いた状態の正面図である。上記各実施形態では、段階表示部としてラインが例示されている。これに対して、本実施形態では段階表示部として段階背景Ｗ６１、Ｗ６２、Ｗ６３が表示されている。段階背景Ｗ６１、Ｗ６２、Ｗ６３は、各ステップ領域の背景色である。
【００４９】
各段階背景は異なる色彩によって構成されており、色彩ごとに各々のステップ領域が対応している。たとえば段階背景Ｗ６１は青色であり第１ステップを表し、段階背景Ｗ６２は緑色であり第２ステップを表し、段階背景Ｗ６３は黄色であり第３ステップを表す。なお、段階背景に別の色彩を採用してもよい。
【００５０】
各段階背景の色彩がそれぞれのステップ領域に対応して判別可能に表していることによって、本文のステップの区別がより明瞭になり、一見して段階を識別することが可能になる。なお、その他の構成等は第一実施形態と同様である。
【００５１】
７．その他の構成
【００５２】
上記においては、本発明を好ましい実施形態として説明したが、各用語は、限定のために用いたのではなく、説明のために用いたものであって、本発明の範囲および精神を逸脱することなく、添付の特許請求の範囲において、変更することができるものである。
【００５３】
なお、本発明は以下のような構成として表現できる。
【００５４】
(1)  本文が、上位、下位の段階の関係を有する複数の段階領域S1、S2、…Snを備えており、
【００５５】
各段階領域に対応する箇所には、それぞれの段階領域S1、S2、…Snを判別可能に表す段階表示部であって、文字とは異なる段階表示部が表示されている、
【００５６】
ことを特徴とする段階表示部を有する書籍。
【００５７】
(2)  本文が複数の群領域G1、G2、…Gnを備えており、
【００５８】
各群領域は、上位、下位の段階の関係を有する複数の段階領域S1、S2、…Snを備えており、
【００５９】
各段階領域に対応する箇所には、それぞれの段階領域S1、S2、…Snを判別可能に表す段階表示部であって、文字とは異なる段階表示部が表示されている、
【００６０】
ことを特徴とする段階表示部を有する書籍。
【００６１】
(3)  (1)または(2)の構成において、
【００６２】
前期段階表示部は、本文の行方向と交叉する方向に向けて表示されている、
【００６３】
ことを特徴とする段階表示部を有する書籍。
【００６４】
段階表示部が本文の行方向と交叉する方向に向けて表示されていることによって、異なる行に渡って段階表示部が表示されることになり、より確実に本文の段階の区別を識別することができる。
【００６５】
(4)  (3)の構成において、
【００６６】
前期段階表示部は、直線状ラインであり、
【００６７】
当該直線状ラインの本数によって、それぞれの段階領域S1、S2、…Snを判別可能に表している、
【００６８】
ことを特徴とする段階表示部を有する書籍。
【００６９】
直線状ラインの本数が段階領域を判別可能に表していることによって、本文の段階の区別がより明瞭になり、一見して段階を識別することが可能になる。
【００７０】
(5)  (4)の構成において、
【００７１】
前期段階表示部は、本文全体に渡って表示されている、
【００７２】
ことを特徴とする段階表示部を有する書籍。
【００７３】
段階表示部が本文全体に渡って表示されていることによって、いずれの行の部分においても、確実に本文の段階の区別を識別することができる。
【００７４】
(6)  (4)の構成において、
【００７５】
前期段階表示部は、各段階領域の本文の先頭部分または先頭部分近傍にのみ表示されている、
【００７６】
ことを特徴とする段階表示部を有する書籍。
【００７７】
段階表示部が先頭部分または先頭部分近傍にのみ表示されていることによって、本文の段階を識別できると同時に、段階領域の本文の先頭部分を容易に認識することができる。
【００７８】
(7)  (3)の構成において、
【００７９】
前期段階表示部は、直線状ラインであり、
【００８０】
当該直線状ラインの色彩によって、それぞれの段階領域S1、S2、…Snを判別可能に表している、
【００８１】
ことを特徴とする段階表示部を有する書籍。
【００８２】
直線状ラインの色彩が段階領域を判別可能に表していることによって、本文の段階の区別がより明瞭になり、一見して段階を識別することが可能になる。
【００８３】
(8)  (1)または(2)の構成において、
【００８４】
前期段階表示部は、本文の周囲に位置する枠状ラインであり、
【００８５】
当該枠状ラインの本数によって、それぞれの段階領域S1、S2、…Snを判別可能に表している、
【００８６】
ことを特徴とする段階表示部を有する書籍。
【００８７】
枠状ラインの本数が段階領域を判別可能に表していることによって、本文の段階の区別がより明瞭になり、一見して段階を識別することが可能になる。
【００８８】
(9）(1)または(2)の構成において、
【００８９】
前期段階表示部は、本文の周囲に位置する枠状ラインであり、
【００９０】
当該枠状ラインの色彩によって、それぞれの段階領域S1、S2、…Snを判別可能に表している、
【００９１】
ことを特徴とする段階表示部を有する書籍。
【００９２】
枠状ラインの色彩が段階領域を判別可能に表していることによって、本文の段階の区別がより明瞭になり、一見して段階を識別することが可能になる。
【００９３】
(10)  (1)または(2)の構成において、
【００９４】
前期段階表示部は、本文の背景色であり、
【００９５】
当該背景色によって、それぞれの段階領域S1、S2、…Snを判別可能に表している、
【００９６】
ことを特徴とする段階表示部を有する書籍。
【００９７】
本文の背景色が段階領域を判別可能に表していることによって、本文の段階の区別がより明瞭になり、一見して段階を識別することが可能になる。
【００９８】
(11) (1)または(2)の構成において、
(12)   
【００９９】
少なくとも一の段階については、直後の同段階の段階領域の場所を表す移行指標部が表示されている、
【０１００】
ことを特徴とする段階表示部を有する書籍。
【０１０１】
移行指標部が直後の同段階の段階領域の場所を表していることによって、より容易かつ確実に共通する段階の段階領域を選択して本文を把握することができる。
【０１０２】
(13) (2)の構成において、
(14)   
【０１０３】
群領域とは別に抽出領域を備えており、
【０１０４】
当該抽出領域は、少なくとも一の段階の段階領域を連続的に重複して表示している、
【０１０５】
ことを特徴とする段階表示部を有する書籍。
【０１０６】
抽出領域が一の段階の段階領域を連続的に重複して表示していることによって、抽出領域を通じて共通する段階の段階領域の本文を把握することができる。
【図面の簡単な説明】
【０１０７】
【図１】本発明に係る段階表示部を有する書籍の第一実施形態を示す図であり、本実施形態における書籍の任意のページを開いた状態の正面図である。
【図２】Ａは、本発明に係る段階表示部を有する書籍の第二実施形態を示す図であり、本実施形態における書籍の任意のページを開いた状態の正面図である。Ｂは、本発明に係る段階表示部を有する書籍の第三実施形態を示す図であり、本実施形態における書籍の任意のページを開いた状態の正面図である。
【図３】Ａは、本発明に係る段階表示部を有する書籍の第四実施形態を示す図であり、本実施形態における書籍の任意のページを開いた状態の正面図である。Ｂは、本発明に係る段階表示部を有する書籍の第五実施形態を示す図であり、本実施形態における書籍の任意のページを開いた状態の正面図である。
【図４】本発明に係る段階表示部を有する書籍の第六実施形態を示す図であり、本実施形態における書籍の任意のページを開いた状態の正面図である。
【図５】Ａは、書籍の第一従来例を示す図であり、書籍の任意のページを開いた状態の正面図である。Ｂは、書籍の第二従来例を示す図であり、書籍の任意のページを開いた状態の正面図である。
【図６】Ａは、書籍の第三従来例を示す図であり、書籍の任意のページを開いた状態の正面図である。Ｂは、書籍の第四従来例を示す図であり、書籍の任意のページを開いた状態の正面図である。
【符号の説明】
【０１０８】
Ｌ１１，Ｌ１２、Ｌ１３、Ｌ４１、Ｌ４２、Ｌ４３：段階ライン
Ｌ２１，Ｌ２２、Ｌ２３：段階先頭ライン
Ｌ３１，Ｌ３２、Ｌ３３：段階色彩ライン
Ｌ５１，Ｌ５２、Ｌ５３：段階枠
Ｗ６１，Ｗ６２、Ｗ６３：段階背景
Ｋ１、Ｋ２、Ｋ３：ページ案内部
特許出願人  眞島  宏明
出願人代理人  弁理士  田川  幸一
【図１】
2005271249.tif 000003
【図２】
2005271249.tif 000004
【図３】
2005271249.tif 000005
【図４】
2005271249.tif 000006
【図５】
2005271249.tif 000007
【図６】
2005271249.tif 000008